(57)【要約】【課題】視覚的な意外性を与えることができるうえ、これ以外の付加価値も付加できる筆記具の提供。【解決手段】インク用液体１６と、このインク用液体１６に着色するための着色剤の主体とが分離されて収納され、インク用液体１６が筆記先端へ誘導される途中で、着色剤がインク用液体１６に添加されるように設けられている筆記具のインク用液体１６に香料を含ませる。これにより、インク用液体１６が透明でも、筆記先端では、所定の色彩をはっきり呈するインクで筆記することが出来るうえ、インク用液体１６中に香料が入ることで、描線に香りを付与することが可能となり、更なる付加価値を付けることが出来るようになる。【選択図】　　図２
2004142255.tif 000002
【特許請求の範囲】
【請求項１】
インク用液体と、このインク用液体に着色するための着色剤の主体とが分離されて収納され、インク用液体が筆記先端へ誘導される途中で、着色剤がインク用液体に添加されるように設けられている筆記具であって、
前記インク用液体が香料を含んでいることを特徴とする筆記具。
【請求項２】
インク用液体と、このインク用液体に着色するための着色剤の主体とが分離されて収納され、インク用液体が筆記先端へ誘導される途中で、着色剤がインク用液体に添加されるように設けられている筆記具に於いて、
インク用液体が筆記先端へ誘導される途中で、香料がインク用液体に添加されるように設けられていることを特徴とする筆記具。
【請求項３】
インク用液体中に、当該インク用液体に溶解しない液体非溶解物が浮遊していることを特徴とする請求項１又は２記載の筆記具。
【発明の詳細な説明】
【０００１】
【発明の属する技術分野】
本発明は、筆記具、更に詳しくは、インクを用いた筆記具であって、インク中に含まれるインク用液体と着色剤とが分離して収納されているものの、インク用液体が筆記先端へ誘導される途中で、着色剤がインク用液体に添加されることにより、筆記先端では所定の色彩を呈するインクで筆記できるようにしてある筆記具に関するものである。
【０００２】
【従来の技術】
従来から、インクを用いた筆記具には、種々のものが提供されている。このような筆記具は、インクとの関係では、大きく２つに分けることができる。１つは、古くからある筆のように、筆記具自体にはインクが備えられておらず、筆記先端にインクを付着させた後に、その付着させたインクを用いて筆記するものである。
【０００３】
このような筆記具としては、具体的には、例えば、筆、鋼筆、つけペン、又は烏口などがある。もう１つは、筆記具自体がインクを保有し、その筆記具自体が保有するインクを筆記先端へ導いて筆記するものである。このような筆記具としては、具体的には、例えば、万年筆、ボールペン、フェルトペン、サインペン（マーカーペン）、又はニードルペンなどがある。
【０００４】
ここで、後者の筆記具に用いられるインクは、染料又は顔料を、ビヒクル（溶剤、媒体）中にあらかじめほぼ均一に溶解又は分散させたものであり、筆記具内に保有されているときと、筆記面に転写されたときとで、ほぼ同一の色彩を呈するように調整されている。
【０００５】
ところで、上述したような従来の筆記具は、その内部に保有されているインクの色彩を見ることによって、筆記面に転写された際のインクの色彩を判断することが出来るので、この点は便利である。
特に、直液式と呼ばれるタイプの筆記具は、インク収容筒に直接インクを収容出来るため、インクの色や量を外から視認することが可能である。
【０００６】
一方、近年、従来の筆記具とは見た感じがまったく異なる新しい筆記具が利用されている。
具体的には、インク用液体と着色剤との主体を分離して収納すると共に、インク用液体が筆記先端へ誘導される途中で、着色剤がインク用液体に添加されるように形成した筆記具が利用されている。
このような筆記具では、筆記具の軸筒の外からインク用液体を視認できるようにするとともに、インク用液体の色を、無色透明、着色剤と同系の薄い色彩、あるいは、着色剤とは異なる色彩にすれば、筆記先端では意外な色彩あるいは濃さを有するインクで筆記が行われるようになり、見た感じが従来とはまったく異なる筆記具にできる（例えば、特許文献１参照。）。
【０００７】
【特許文献１】
特開２００１−２６０５８６号公報
【０００８】
【発明が解決しようとする課題】
前述のような筆記具では、軸筒の外から視認できる色や濃さとは異なるインクで筆記が行われ、これにより視覚的な意外性を使用者に与えることができるという付加価値を付与できるが、更に、視覚的な意外性以外の付加価値を筆記具に付加したいという要望がある。
【０００９】
本発明の目的は、視覚的な意外性を与えることができるうえ、これ以外の付加価値も付加できる筆記具を提供することにある。
【００１０】
【課題を解決するための手段】
各請求項にそれぞれ記載された各発明は、上記目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【００１１】
（請求項１）
（特徴点）
請求項１記載の発明は、次の点を特徴とする。
すなわち、請求項１に記載の発明は、インク用液体（１６）と、このインク用液体（１６）に着色するための着色剤の主体とが分離されて収納され、インク用液体（１６）が筆記先端へ誘導される途中で、着色剤がインク用液体（１６）に添加されるように設けられている筆記具であって、前記インク用液体（１６）が香料を含んでいることを特徴とする。
【００１２】
（請求項２）
（特徴点）
請求項２記載の発明は、次の点を特徴とする。
すなわち、請求項２に記載の発明は、インク用液体（１６）と、このインク用液体（１６）に着色するための着色剤の主体とが分離されて収納され、インク用液体（１６）が筆記先端へ誘導される途中で、着色剤がインク用液体（１６）に添加されるように設けられている筆記具に於いて、インク用液体（１６）が筆記先端へ誘導される途中で、香料がインク用液体（１６）に添加されるように設けられていることを特徴とする。
【００１３】
以上のような請求項１又は２に記載の発明において、「インク用液体」とは、従来のインクのビヒクルに相当するものであり、従来のインクから染料又は顔料を除いた部分を主体とするものを言う。
また、「着色剤」とは、従来のインクの染料又は顔料に相当するものであり、従来のインクからビヒクルを除いた
部分を主体とするものを言う。
【００１４】
また、前述のインク用液体であるビヒクルとしては、例えば、水、水溶性有機溶剤、潤滑剤、防腐剤、防錆剤、ｐＨ調整剤、乾燥防止剤及び増粘剤等を適宜配合して調整した低粘度水性タイプのインク用液体、並びに、低級アルコール、グリコールエーテル、高沸点アルコール及び樹脂を適宜配合して調整したアルコール系タイプのインク用液体が採用できる。
【００１５】
さらに、香料としては、例えば、次の（１）〜（６）のものが挙げられる。これらの（１）〜（６）は、それぞれ単独で用いることができるだけでなく、２種類以上を組み合わせて用いることもできる。
（１）　グレープフルーツ油、オレンジ油、レモン油、ライム油、イランイラン油、カモミル油、ジャスミン油、ヒバ油、ペパーミント油、ラベンダー油、及び、ローズマリー油等の精油類。
（２）　α−ピネン、β−ピネン、及び、リモネン等のテルペン類。
（３）　リナロール、１−メントール、ゲラニオール、ボルネオール、ランバズロール、ヘキシルアルコール、フェニルエチルアルコール（ローズＰ）、フルフリルアルコール、シクロテン、マルトール、オイゲノール、及び、α−フェニルエタノール等のアルコール類。
（４）　ヘプタナール、オクタナール、ドデカナール、テトラデカナール、ヘキサデカナール、シトラール、リラール、ベンズアルデヒド、シクラメンアルデヒド、及び、バニリン等のアルデヒド類。
（５）　エチルアセテート（酢酸エチル）、プロピルアセテート（酢酸プロピル）、アミルアセテート、リナリルアセテート、ベンジルアセテート（酢酸ベンジル）、ジメチルベンジルカルビニルアセテート、及び、ベンジルプロオピオネート等のエステル類。
（６）　ヌートカトン、エチルピラジン、レモンターペンレス、オレンジターペンレス、ワニリン、エチルワニリン、フルフリルメルカプタン、ボーネオール、及び、ヘリオール等の芳香族化合物。
【００１６】
また、香料としては、上記香料の各々を好適に組み合わせた調合香料、例えば、バナナ香料、ブルーベリー香料、バニラ香料、ミント香料、アップル香料、ピーチ香料、メロン香料、パイナップル香料、グレープ香料、ライラック香料、及び、ジャスミン香料などの各種配合香料を処方して採用することもできる。
例えば、バナナ香料としては、バニリン、エチルバニリン、ｎ−ヘキサナール、イソアミルアルコール、トランス−２−ヘキセナール、ｎ−ブタノール、酢酸イソアミル、イソ吉草酸イソアミル、シス−３−ヘキセノール、酢酸シス−３−ヘキセニル、酢酸、イソオイゲノール、酪酸エチル、溶剤などを好適に配合したものが採用できる。
パイナップル香料としては、酢酸ベンジル、オレンジオイル３−フォールド、バニリン、酢酸イソアミル、酪酸イソアミル、酢酸エチル、ヘプタン酸エチル、ヘキサン酸エチル、酪酸エチル、ヘキサン酸アリルなどを好適に配合配合したものが採用できる。
【００１７】
さらに、予め処方されている市販の各種調合香料も採用できる。例えば、バニラ香料〔バニラ：ＢＶＫ−３３５９（高砂香料工業社製）〕、ミント香料〔ミント：ＴＨＰ−８１４８（長谷川香料社製）〕、バナナ香料〔バナナ：Ｔ−１５１０（山本香料社製）〕、及び、ブルーベリー香料〔ブルーベリー：Ｖ−６４７（山本香料社製）〕なども採用することができる。
【００１８】
上記のような香料は、筆記具の製造の際、筆記具に充填するにあたり、予め、インク用液体（１６）中に直接添加して撹拌・混合しておき、香料入りのインク用液体として筆記具の内部に充填してもよい。
【００１９】
または、上記のように香料入りインク用液体とはせずに、着色剤を収納する着色剤収納部に着色剤とともに香料を含有させる、あるいは、着色剤収納部の近傍に着色剤収納部と同様の構造を有する香料専用の香料収納部を別に設け、この香料収納部に香料を含有させることもできる。
【００２０】
そして、このように、インク用液体（１６）と着色剤とを分離して収納すると共に、インク用液体（１６）が筆記先端に至る途中で、着色剤がインク用液体（１６）に添加されるように形成することにより、インク用液体（１６）が透明や極めて薄い色であるにもかかわらず、筆記先端では、所定の色彩をはっきり呈するインクで筆記することが出来る。また、インク用液体（１６）を筆記の際に呈する色とは異なった色にすることで筆記の際に驚きや不思議感を与えることも出来る。
そのうえ、インク用液体（１６）中に香料が入ることで、描線に香りを付与することが可能となり、更なる付加価値を付けることが出来るようになる。
【００２１】
ここで、「インク用液体と着色剤の主体とが分離して収納され」とは、筆記具の内部に、インク中に含まれるインク用液体と着色剤の主体とが分けられて別々に収容されることを意味する。
また、「インク用液体が筆記先端へ誘導される途中で着色剤がインク用液体に添加される」とは、インク用液体が筆記先端に至るまでの過程において、インク用液体が、固形状の着色剤が収容されている部分を通過することにより、固形状の着色剤が少しずつ溶解又は分散しながら添加されること、あるいはインク用液体が筆記先端に至るまでの過程において、インク用液体が、液状の着色剤が収納されている部分を通過することにより、液状の着色剤が少しずつ混ざりながら添加されていること、あるいはインク用液体が筆記先端に至るまでの過程において、液状の着色剤が直接インク用液体に添加されることなどを意味する。
【００２２】
同様に、「インク用液体が筆記先端へ誘導される途中で香料がインク用液体に添加される」とは、インク用液体が筆記先端に至るまでの過程において、インク用液体が、固形状の香料が収容されている部分を通過することにより、固形状の香料が少しずつ溶解又は分散しながら添加されること、あるいはインク用液体が筆記先端に至るまでの過程において、液状の香料が収納されている部分を通過することにより、インク用液体に液状の香料が少しずつ混ざりながら添加されていること、あるいはインク用液体が筆記先端に至るまでの過程において、液状の香料が直接インク用液体に添加されることなどを意味する。
香料の収納場所は、着色剤収納場所と同じでも良く、またその近傍でも構わない。
【００２３】
そして、このように、インク用液体（１６）と、着色剤及び香料とを分離して収納すると共に、インク用液体（１６）が筆記先端に至る途中で、着色剤、香料がインク用液体に添加されるように形成することにより、インク用液体（１６）が透明や極めて薄い色であるにもかかわらず、筆記先端では、所定の色彩をはっきり呈するインクで筆記することが出来る。また、インク用液体（１６）を筆記の際に呈する色とは異なった色にすることで筆記の際に驚きや不思議感を与えることも出来る。
また、香料が入ることで、描線に香りを付与することが可能となり、更なる付加価値を付けることが出来るようになる。
【００２４】
（請求項３）
（特徴点）
請求項３記載の発明は、前述した請求項１又は２に記載の発明において、次の点を特徴とする。
すなわち、請求項３記載の発明は、インク用液体（１６）中に、当該インク用液体（１６）に溶解しない液体非溶解物が浮遊していることを特徴とする。
【００２５】
このような請求項３記載の発明によれば、筆記具の外観から見えるインク用液体（１６）中にインク用液体（１６）には溶解しない物質、例えば、プラスチック製の薄版、プラスチック製の小物、金属製の薄膜、金属製の小物、金属粉、ガラス製の小物等を封入しておくと、筆記時などにこれらがインク用液体（１６）中で揺れ動くので、これにより、見た感じが非常におもしろい筆記具とすることができるのである。
また、インク用液体（１６）に溶解しない物質と香料が関係することで、使用者の視覚及び嗅覚の両方に対して、同時に面白く感じさせることができる。
例えば、香料にバナナの香料を採用し、インク用液体（１６）中にバナナを想像するような形状や色の物体を封入する事で、外観と筆記描線の香りとを結びつけることができる。
また、例えば、商品名、企業名、キャラクターなどを付したプラスチック製の薄板等を封入しておくと、従来のインクでは読みとることができなかったような文字などを認識させることができるので、これにより宣伝効果の高い筆記具を提供することができる。
【００２６】
【発明の実施の形態】
以下、本発明に係る実施の形態を、図示例と共に説明する。本実施形態においては、直液式低粘度水性ボールペンを参考にして説明するが、本発明は、これに限定されるものでは無い。
図１乃至図３は本発明の第１実施形態を示している。図１乃至図３において、本第１実施形態の筆記具は、円筒状の軸筒１を備え、この軸筒１の後方側の内部には、インク用液体１６を収納するための液体収納部１ａが設けられ、また、前方側の内部には、液体収納部１ａの圧力変化によるインク用液体の筆記先端部からの漏れ出しを防止するためのコレクター５が固定されている。
【００２７】
また、前記軸筒１は、例えば、ポリプロピレン（ＰＰ）などの合成樹脂を材料として、全体が無色透明に形成され、これにより、軸筒１の外部からその内部を視認できるようにしてある。
なお、軸筒１は、円筒状に形成される場合に限られず、例えば、その外周を多角形状に形成してもよい。
【００２８】
また、軸筒１は、ポリプロピレン（ＰＰ）を材料として形成される場合に限られず、例えば、ポリ塩化ビニル（ＰＶＣ）、ポリビニルブチラール（ＰＶＢ）、ポリビニルアルコール（ＰＶＡ）、ポリ塩化ビニリデン（ＰＶＤＣ）、ポリ酢酸ビニル（ＰＶＡＣ）、ポリビニルホルマール（ＰＶＦ）、ポリ二塩化ビニルなどのビニル系、ポリスチレン（ＰＳ）、スチレン・アクリロニトリル共重合体（ＡＳ）、ＡＢＳなどのポリスチレン系、エチレン・酢酸ビニル共重合体（ＥＶＡ）などのポリエチレン系、ポリメチルメタクリレート（ＰＭＭＡ）、変性アクリルなどのアクリル系、三ふっ化塩化エチレン（ＰＣＴＦＥ）、四ふっ化エチレン（ＰＴＦＥ）、四ふっ化エチレン・六ふっ化プロピレン（ＦＥＰ）、ふっ化ビニリデン（ＰＶＤＦ）などのふっ素樹脂、ポリアセタール（ＰＡ）、ポリカーボネート（ＰＣ）、フエノキシ、ポリエステル（ＰＥＴＰ）、ポリウレタン（ＰＵ）、フェノール・ホルムアルデヒド樹脂（ＰＦ）、尿素樹脂（ＵＦ）、メラニン・ホルムアルデヒド樹脂（ＭＦ）、エポキシ樹脂（ＥＰ）、フラン樹脂（ＦＦ）、キシレン樹脂（ＸＦ）、シリコーン樹脂、ナイロンなどを材料として形成してもよい。
【００２９】
また、軸筒１は、無色透明に形成される場合に限られず、例えば、有色透明、あるいは半透明に形成してもよい。
また、軸筒１は、全体が透明に形成される場合に限られず、例えば、その一部に透明な窓を設けることにより、その内部を視認できるようにしてもよい。
また、軸筒１は、全体が透明に形成されると共に、その把持部となる位置の外周に透明あるいは不透明な弾性体グリップが設けられてもよい。
また、軸筒１の表面に、文字や図形や模様などを付してもよい。
即ち、軸筒１は、その内部が視認できるように形成されていることが望ましいものである。
【００３０】
また、上述したコレクター５は、例えば、ＡＢＳなどの合成樹脂を材料として、全体が無色透明に形成されている。
また、図１乃至図３に示すように、コレクター５の外周には、液体収納部１ａ側の後端から筆記先端部側へ向けて形成されている液体誘導溝７と、筆記先端部側の前端から液体収納部１ａ側へ向けて形成されている空気置換溝８と、液体誘導溝７及び空気置換溝８の双方と交わるように形成されている多数の液体保留溝６とが設けられ、これらにより、液体収納部１ａ内の圧力変化を調整するようにしている。
【００３１】
なお、コレクター５は、無色透明に形成される場合に限られず、例えば、有色透明、半透明、あるいは不透明に形成してもよい。即ち、コレクター５は、その内部が視認できるものであってもよく、また、その内部が視認できないものであってもよい。
また、コレクター５の中心には、その後端部から筆記先端側の前端部まで貫通する孔部５ａが設けられている。この孔部５ａは、円筒状に形成される場合に限られず、例えば、その内周面を多角形状に形成してもよい。また、例えば、孔部５ａの内周面に、液体収納部１ａ側の後端から筆記先端部側の前端まで連続する多数の溝を設けてもよい。
【００３２】
また、その孔部５ａの軸方向略中央に孔部を適宜縮径した状態の規制部９が設けられると共に、孔部５ａの規制部９の後方側に着色剤吸着芯１４が挿入され、その着色剤吸着芯１４を固定する状態でコレクターの孔部５ａの後端にコレクター用芯１５が固定されている。なお、コレクター用芯１５は、着色剤吸着芯１４を固定する役目と共にインク用液体１６を着色剤吸着芯１４に誘導し、且つ着色剤吸着芯１４に吸着されなかった着色剤が液体収納部１ａのインク用液体１６及びコレクター５の液体保留溝６内に混入するのを防ぐ更なる安全装置となる。
【００３３】
また、孔部５ａの規制部９の前方側には、液体収納部１ａから着色剤吸着芯１４を経由して筆記先端部側へインク用液体１６を誘導するための着色剤添加芯１３が挿入されている。液体収納部１ａの内部に収納されたインク用液体１６の中には、インク用液体１６に溶解しない液体非溶解物である、図示しない広告用プレートが浮遊している。この広告用プレートには、商品の名称や図が描かれている。
また、着色剤添加芯１３に着色剤を含浸させることにより、着色剤をインク用液体１６とは分離して収納するようにしている。更には、これらにより、インク用液体１６が筆記先端部側へ誘導される途中で、着色剤がインク用液体１６に添加されるようにしている。
【００３４】
前記着色剤添加芯１３は、繊維束体によって、　円柱棒状に形成されている。
また、　着色剤添加芯１３としての繊維束体には、　インク用液体１６を誘導するための適正な気孔率が設けられている。
また、　着色剤添加芯１３は、　繊維束体によって形成される場合に限られず、　例えば、　多孔質体によって形成してもよい。
また、着色剤添加芯１３は、　ポリアセタール，　ポリプロピレンあるいはポリエステルなどの合成樹脂によって形成してもよい。　この場合、　芯の外周面に、　一方の端部から他方の端部まで連続する多数の毛細管溝やスリットや凹状部を設けたり、　あるいは芯の内部に、　一方の端部から他方の端部まで貫通する多数の毛細管溝や毛細管孔や凹状部が設けられる。
【００３５】
一方、筆記具を筆記せずに放置している状態が長く続くと着色剤がインク用液体に拡散し、見た感じの従来筆記具との差がなくなってしまう危険性がある。
そこで、着色剤吸着芯１４は、着色剤を拡散途中で捕獲・吸着させる目的で、活性炭を主材とした粉末状や繊維状のものを多孔質状で円柱棒状体に形成してなるものであって、インク用液体１６と着色剤添加芯１３との間に配設され、着色剤吸着芯１４の前端と着色剤添加芯１３の後端が略接触するように設けられることによって、インク用液体１６を液体収納部１ａから着色剤添加芯１３へ誘導可能とすると共に、　拡散された着色剤を吸着し、着色剤が液体収納部１ａ側へ移動するのを防止して、従来の筆記具とは見た感じがまったく異なる状態を長く維持可能とする。例えば、インク用液体１６が無色透明または、インク用液体１６に微着色した場合、その極めて薄い色の状態を長く維持することが可能である。
【００３６】
また、上述したように、コレクターの孔部５ａの軸方向略中央には、孔部５ａを適宜縮径した状態の規制部９が設けられている。この規制部９は、孔部５ａの内壁に一体に、前面にテーパー面を有して形成され、このテーパー面に密接するように着色剤添加芯１３の後端もテーパー面で形成されて、着色剤添加芯１３のテーパー状の後端が着色剤吸着芯１４の前端に接触している。
着色剤添加芯１３と着色剤吸着芯１４の接触部をこのように設けることによって、着色剤吸着芯１４が、液体収納部１ａから着色剤添加芯１３へインク用液体１６を適正量で誘導することが可能となり、且つ着色剤が液体収納部１ａ側へ移動するのが抑制されるので、一層着色剤が液体収納部１ａ側へ移動するが防止される。なお、前記規制部９の形状は、本第１実施形態の形状に限定されず、設計都合により形状が選定可能である。
なお、このことは後述するコレクターを備えていない直液式のサインペン、マーカーペン、あるいはボールペンにも用いることができる。この場合、着色剤吸着芯の前端と着色剤添加芯の後端との接触面を適宜制限するように規制部が設けられる。
【００３７】
また、筆記具の前方部に於いて、前端に口先部２が固着された継ぎ手３が軸筒１の前端に固着され、口先部２の前端に筆記先端部としてのボールペンチップ１０が固定されると共に、口先部２の後方に延設された軸部がコレクター５の前端に形成された軸部の内孔に固定されている。また、口先部２と継ぎ手３との接合部に外気と接続する空気孔４が形成され、その空気孔４からコレクター５に設けられた空気置換溝８に連通する通気路が形成されている。
また、　ボールペンチップ１０は、　その前端に先端ボールを回転自在に保持し、　また、　ボールペンチップ１０の内部には、　インク誘導芯１２の前端部が挿入され、　これにより、　着色剤添加芯１３を通過したインクが筆記先端部へ誘導されるようになっている。
【００３８】
なお、筆記先端部は、ボールペンチップ１０によって形成される場合に限られず、例えば、万年筆のペン先によって形成してもよく、また、フェルトからなる筆記用先端によって形成してもよく、また、繊維束体からなる筆記用先端によって形成してもよく、また、ニードルペンに用いられる細い管状の筆記用先端によって形成してもよい。
【００３９】
ここで、香料は、インク用液体１６を液体収納部１ａに注入する前に、予めインク用液体１６に混合しておき、香料入りインク用液体１６として液体収納部１ａに収納しておくことができる。
あるいは、香料は、インク用液体１６に混合せずに、着色剤添加芯１３として軸筒１内に収納することもできる。すなわち、軸筒１の内部に着色剤添加芯１３を収納する前に、液体に溶かした状態の香料を、やはり液体に溶かした着色剤とともに着色剤添加芯１３に含ませた後に乾燥し、着色剤添加芯１３として軸筒１内に収納することもできる。
若しくは、着色剤を添加すべき添加芯を、軸筒１の軸方向又は径方向に分割し、分割した添加芯の一部に着色剤を含ませ、分割した添加芯の残りに、香料を含ませ、乾燥させた後に、元の状態に組み立てた添加芯を軸筒１内に収納することにより、香料を軸筒１内に収納してもよい。
【００４０】
図４及び図５は、本発明の第２実施形態を示している。
図４及び図５において、第２実施形態に係る筆記具は、円筒状の軸筒１９を備え、この軸筒１９の前方側の内部には、液体収納部の圧力変化によるインク用液体の筆記先端部からの漏れ出しを防止するためのコレクター２０が固定されている。
この第２実施形態は、上述した第１実施形態がコレクターの孔部５ａの軸方向略中央に、孔部５ａを適宜縮径した状態の規制部９を設け、液体収納部１ａから着色剤添加芯１３へのインク用液体１６を適正量で誘導可能とし、且つ着色剤が液体収納部１ａ側へ移動するのを一層防止可能とするのに対し、着色剤添加芯２２の後端が着色剤吸着芯２３の前端とがそのまま接触した状態で設けられており、より好ましい第１実施形態に対し実質上は本発明の目的を達成可能とするものである。
【００４１】
図６及び図７は、本発明の第３実施形態を示している。
図６及び図７において、第３実施形態に係る筆記具は、円筒状の軸筒２４を備え、この軸筒２４の前方側の内部には、液体収納部の圧力変化によるインク用液体の筆記先端部からの漏れ出しを防止するためのコレクター２５が固定されている。
また、コレクター２５の孔部の軸方向略中央に、孔部の内壁に密着してブッシュ２９が固定され、そのブッシュ２９の後端に着色剤吸着芯２８の前端が略当接して設けられ、またブッシュ２９の軸心に設けられた細孔部に着色剤添加芯２７の後端に形成された細径部２７ａ　が嵌挿され、規制部として機能すると共に、細径部２７ａ　の後端が着色剤吸着芯２８の前端に接触して設けられている。なお、ブッシュ２９はゴムなどの弾性体で形成されるが、特に限定はされない。この第３実施形態によれば、前記第１実施形態と同様の作用・効果（性能）を達成することができる。
【００４２】
【実施例】
以下、さらに具体的な実施例１，２により、本発明を更に詳しく説明する。
（実施例１）
本実施例１は、第１実施形態で示した構造を有するボールペンに、香り付きインク用液体１６及び無臭の着色剤添加芯１３を採用したものである。
【００４３】
（インク用液体１６）
本実施例１で採用するインク用液体１６は、下記の成分を下記の割合で配合した、バナナの香りのする透明なインク用の液体である。
−インク用液体１６の成分（重量％）−
・グリセリン（溶剤）　　　　　　　　　　　　　　　　１０　　　％
・ジエチレングリコール（溶剤）　　　　　　　　　　　１０　　　％
・２−ピロリドン（溶剤）　　　　　　　　　　　　　　１０　　　％
・ベンゾトリアゾール（防錆剤）　　　　　　　　　　　　０．１　％
・トリエタノールアミン（ｐＨ調整剤）　　　　　　　　　０．５　％
・フォスファノールＲＥ−６１０（潤滑剤；東邦化学工業（株）製）０．０５％
・プロキセルＧＸＬ（防腐剤；ゼネカ（株）製）　　　　　　　０．１　％
・バナナＴ−１５１０（香料；山本香料社製）　　　　　　　　　１　　　％
・精製水　　　　　　　　　　　　　　　　　　　　　　６８．２５％
【００４４】
（着色剤添加芯１３）
本実施例１で採用する着色剤添加芯１３は、下記の成分を下記の割合で配合した着色剤含浸用液体を添加芯に含有させた後、当該添加芯を乾燥させた無臭のものである。
−着色剤含浸用液体の成分（重量％）−
・食用赤１０４号（染料）　　　　　２０％
・エチルアルコール（溶剤）　　　　８０％
【００４５】
（実施例２）
本実施例２は、第１実施形態で示した構造を有するボールペンに、無臭のインク用液体１６及び香り付き着色剤添加芯１３を採用したものである。
（インク用液体１６）
本実施例２で採用するインク用液体１６は、下記の成分を下記の割合で配合した、透き通る薄紫色に着色された無臭の透明液体である。
−インク用液体１６の成分（重量％）−
・Ｎ−メチル−２−ピロリドン（溶剤）　　　　　　　　　１５　　　％
・グリセリン（溶剤）　　　　　　　　　　　　　　　　　２０　　　％
・ベンゾトリアゾール（防錆剤）　　　　　　　　　　　　　　　　　　　　　　　　　　　　　０．１　％
・トリエタノールアミン（ｐＨ調整剤）　　　　　　　　　　　　　　　　　　　　　　　　０．５　％
・フォスファノールＲＥ−６１０（潤滑剤；東邦化学工業（株）製）　　０．０５％
・プロキセルＧＸＬ（防腐剤；ゼネカ（株）製）　　　　　　　　０．１　％
・スチレンマレイン酸樹脂アンモニウム塩（添加剤）　　　　５　　　％
・スチレンアクリル酸樹脂アンモニウム塩（添加剤）　　　　５　　　％
・食用青１号（染料）　　　　　　　　　　　　　　　　　　０．０１％
・食用赤１０６号（染料）　　　　　　　　　　　　　　　　　　　　　　　　　　　　　　　　　　　０．０２％
・食用赤１０３号（染料）　　　　　　　　　　　　　　　　　　　　　　　　　　　　　　　　　　　０．０２％
・精製水　　　　　　　　　　　　　　　　　　　　　　　５４．２　％
【００４６】
（着色剤添加芯１３）
本実施例２で採用する着色剤添加芯１３は、下記の成分を下記の割合で配合した着色剤含浸用液体を添加芯に含有させた後、当該添加芯を乾燥させた、僅かにブルーベリーの香りのするものである。
−着色剤含浸用液体の成分（重量％）−
・アイゼンスピロンバイオレットＣ−ＲＨ　　　　　　　　１８％
（染料；保土ヶ谷化学工業（株）社製）
・メチルアルコール（揮発性溶剤）　　　　　　　　　　　４０％
・エチルアルコール（揮発性溶剤）　　　　　　　　　　　４０％
・ブルーベリーＶ−６４７（香料；山本香料社製）　　　　　２％
【００４７】
【作用及び結果】
実施例１によれば、ペン体の外観インク色は透明であるが、筆記すると赤色を呈した筆記描線を得ることが出来た。また、ボールペン本体の外からインク中にバナナ形状の物体を確認する事が出来たうえ、筆記描線にバナナの香りを付与することが出来た。
実施例２によれば、ボールペン本体の外から見えるインク色は薄い紫色であるが、筆記するとはっきりとした紫色を呈した筆記描線を得ることが出来た。また、筆記と同時に描線にブルーベリーの香りを付与することが出来た。
【００４８】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、インク用液体と着色剤とを分離して収納すると共に、インク用液体が筆記先端に至る途中で、着色剤がインク用液体に添加されるように形成することにより、インク用液体が透明や極めて薄い色であるにもかかわらず、筆記先端では、所定の色彩を呈するインクで筆記することが出来る。また、インク用液体を筆記の際に呈する色とは異なった色にすることで筆記の際に驚きや不思議感を与えることも出来る。
そのうえ、インク用液体中に香料が入ることで、描線に香りを付与することが可能となり、更なる付加価値を付けることが出来る。
【００４９】
（請求項２の効果）
請求項２記載の発明によれば、次のような効果を奏する。
すなわち、請求項２記載の発明によれば、インク用液体と、着色剤及び香料とを分離して収納すると共に、インク用液体が筆記先端に至る途中で、着色剤、香料がインク用液体に添加されるように形成することにより、インク用液体が透明や極めて薄い色であるにもかかわらず、筆記先端では、所定の色彩を呈するインクで筆記することが出来る。また、インク用液体を筆記の際に呈する色とは異なった色にすることで筆記の際に驚きや不思議感を与えることも出来る。
また、香料が入ることで、描線に香りを付与することが可能となり、更なる付加価値を付けることが出来る。
【００５０】
（請求項３の効果）
請求項３記載の発明によれば、上記した請求項１又は２記載の発明の効果に加え、次のような効果を奏する。
すなわち、請求項３記載の発明によれば、筆記具の外観から見えるインク用液体中にインク用液体には溶解しない物質、例えば、プラスチック製の薄版、プラスチック製の小物、金属製の薄膜、金属製の小物、金属粉、ガラス製の小物等を封入しておくと、筆記時などにこれらがインク用液体中で揺れ動くので、これにより、見た感じが非常におもしろい筆記具とすることができる。
また、インク用液体に溶解しない物質と香料が関係することで、使用者の視覚及び嗅覚の両方に対して、同時に面白く感じさせることができる。
例えば、香料にバナナの香料を採用し、インク用液体中にバナナを想像するような形状や色の物体を封入する事で、外観と筆記描線の香りとを結びつけることができる。
また、例えば、商品名、企業名、キャラクターなどを付したプラスチック製の薄板等を封入しておくと、従来のインクでは読みとることができなかったような文字などを認識させることができるので、これにより宣伝効果の高い筆記具を提供することができる。
【図面の簡単な説明】
【図１】本発明の第１実施形態に係る筆記具の全体を示す断面図である。
【図２】前記第１実施形態の要部を拡大して示した断面図である。
【図３】図２のＡ−Ａ線における断面図である。
【図４】本発明の第２実施形態に係る筆記具の全体を示す断面図である。
【図５】前記第２実施形態の要部を拡大して示した断面図である。
【図６】本発明の第３実施形態に係る筆記具の全体を示す断面図である。
【図７】前記第３実施形態の要部を拡大して示した断面図である。
【符号の説明】
１　　　　軸筒
１ａ　　　液体収納部
２　　　　口先部
３　　　　継ぎ手
４　　　　空気孔
５　　　　コレクター
５ａ　　　孔部
６　　　　液体保留溝
７　　　　液体誘導溝
８　　　　空気置換溝
９　　　　規制部
１０　　　ボールペンチップ
１１　　　先端ボール
１２　　　インク誘導芯
１３　　　着色剤添加芯
１４　　　着色剤吸着芯
１５　　　コレクター用芯
１６　　　インク用液体
１７　　　キャップ
１８　　　尾栓
１９　　　軸筒
２０　　　コレクター
２１　　　インク誘導芯
２２　　　着色剤添加芯
２３　　　着色剤吸着芯
２４　　　軸筒
２５　　　コレクター
２６　　　インク誘導芯
２７　　　着色剤添加芯
２７ａ　　細径部
２８　　　着色剤吸着芯
２９　　　ブッシュ
【図１】
2004142255.tif 000003
【図２】
2004142255.tif 000004
【図３】
2004142255.tif 000005
【図４】
2004142255.tif 000006
【図５】
2004142255.tif 000007
【図６】
2004142255.tif 000008
【図７】
2004142255.tif 000009